(57)【要約】      （修正有）【課題】嵩張らずに多数携帯することができ、使用後は水洗トイレに廃棄できる男性用尿吸収パットを提供する。【解決手段】略長方形の水崩壊性を有する不透液性シートと、該シートの面積より小さな面積の水崩壊性を有する透液性シートとが重合されたバット本体と、該パット本体の長手方向一端側に貼着された固着帯体とからなる。該固着帯体は前記パット本体の長手方向より長尺とされ、且つ前記パット本体の長手方向の長さは、利用者の男性性器の亀頭部を折り返して覆い、前記固着帯体によって亀頭部の段部で巻回可能な長さとした。【選択図】図１
0003154360.tif 000002
【実用新案登録請求の範囲】
【請求項１】
男性用の使い捨て尿取りパットであって、略長方形の水崩壊性を有する不透液性シートと、該シートの面積より小さな面積の水崩壊性を有する透液性シートとが重合されたパット本体と、該パット本体の長手方向一端側に貼着された固着帯体とからなり、該固着帯体は前記パット本体の長手方向より長尺とされ、且つ前記パット本体の長手方向の長さは、利用者の男性性器の亀頭部を折り返して覆い、前記固着帯体によって亀頭部の境部で巻回可能な長さとしたことを特徴とする男性用尿吸収パット。
【考案の詳細な説明】
【技術分野】
【０００１】
本考案は、男性用尿吸収パットであって、とくに成人男性が携帯して失禁用パットとして使用でき、携帯性に優れた男性用尿吸収パットに関するものである。
【背景技術】
【０００２】
従来より、透液性シートと不透液シートと吸収剤とを主な構成部材とした尿吸収パットが多数市販されている。しかしその多くは、利用者が専用の下着と共に着用して使用する大きな面積の平板状のものからなり、仮に尿を排出した場合であっても、専用の下着を着脱して取り替える必要があり、利用者の時間的、経済的な負担となるものであった。
【０００３】
また、高齢化する成人の多くが、軽い失禁を催すことがあり、通常の生活をしながら容易に尿吸収できるパットが待望されている。
【０００４】
そこで、透水性シートおよび不透水性シートの間に吸収体が装填された略長方形の使い捨ての尿取りパットであって、該尿取りパットの周縁に、粘着剤層を有するファスニングテープを複数離間して突設した尿取りパットが提案されている（特許文献１参照。）。また、ペニスの亀頭に装着される中空球状のサック本体と、このサック本体の開口縁部に連設され、ペニスに巻きつけられる帯状の固定帯とからなる男性用衛生サックもある（特許文献２参照。）
【先行技術文献】
【特許文献】
【０００５】
【特許文献１】実用新案登録第３０３３１１５号公報
【特許文献２】特開平２００２−７８７２５号公報
【考案の概要】
【考案が解決しようとする課題】
【０００６】
しかしながら、上記特許文献１の尿取りパットは、既存の尿取りパットにファスンングテープを取り付けて男性性器を包み込んだ状態でテープで保持するものであるが、吸収体を装填する必要から、ある程度厚みが必要となり嵩張るため、多数の尿取りパットを携帯できないという問題があった。しかも強固に保持するためには複数個所でテープを貼り付ける必要があった。また、特許文献２の男性用衛生サックはサック本体内に亀頭部分を保持する構成であるが、伸縮素材を使って立体的に形成させる必要があり、製造工程が複雑となり高価なものであった。
【０００７】
上記の問題点に鑑み本考案者は、簡単な構造で多数携帯することが可能であり、しかも着脱が簡単で、長時間装着しても快適であり、水洗トイレで容易に廃棄できる男性用尿吸収パットを提供するに至った。
【課題を解決するための手段】
【０００８】
このため、本考案の男性用尿吸収パットは、略長方形の水崩壊性を有する不透液性シートと、該シートの面積より小さな面積の水崩壊性を有する透液性シートとが重合されたパット本体と、該パット本体の長手方向一端側に貼着された固着帯体とからなり、該固着帯体は前記パット本体の長手方向より長尺とされ、且つ前記パット本体の長手方向の長さは、利用者の男性性器の亀頭部を折り返して覆い、前記固着帯体によって亀頭部の境部で巻回可能な長さとしたことを特徴とする。
【考案の効果】
【０００９】
本考案に係る男性用尿吸収パットによれば、略長方形の水崩壊性を有する不透液性シートと、該シートの面積より小さな面積の水崩壊性を有する透液性シートとが重合されたパット本体と、該パット本体の長手方向一端側に貼着された固着帯体とから構成されており、折畳んでも嵩張らずに、多数携帯することができ、しかも使用後には水洗トイレに容易に廃棄できるという効果を有する。
【００１０】
しかも、パット本体の長手方向の長さは、利用者の男性性器の亀頭部を折り返して覆い、前記固着帯体によって亀頭部の段部で巻回可能な長さとしたため、亀頭部分を確実に保持し尿が漏れることがなく吸収させることができる。そして男性性器の側面には通気部が形成されるため、長時間装着しても蒸れることがなく快適であるという効果を有する。
【００１１】
さらに、亀頭部を巻回して固定するため、加齢性の萎縮を生じた陰茎に包皮が被さる（所謂包茎）の防止となるという効果もある。
【図面の簡単な説明】
【００１２】
【図１】本考案に係る男性用尿吸収パットの一実施例を示す平面説明図である。
【図２】本考案に係る男性用尿吸収パットの使用説明図である。
【考案を実施するための形態】
【００１３】
以下、本考案を実施例を示す図面を参照しながら説明するが、本考案が本実施例に限定されないことは言うまでもない。図１は、本考案の男性用尿吸収パットの一実施例を示す平面図、図２は本考案に係る男性用尿吸収パットの使用説明図である。
【実施例】
【００１４】
図１(a)に示すように、本考案の男性用尿吸収パット１は、長方形の不透液性シート２と、このシート２の面積より小さな透液性シート３とが重合されたパット本体４と、パット本体４の長手方向一端側に取り付けられた固着帯体５とから構成されている。
【００１５】
不透液性シート２は水崩壊性を有するし分解性ポリマーにて加工された不織布などが使用され、また透液性シート３は天然繊維であるセルロース、レーヨンなどが使用されており、接着剤などによって重合されてパット本体４が形成されている。この構成によって、透液性シート３に吸収された尿は、非透液性シート２側には漏れることがない。また、透液性シート３の厚みを調節することで排泄される尿の量が多くても対応可能である。
【００１６】
不透液性シート２のサイズは、略幅５０ｍｍで長さ１４０ｍｍとし、透液性シート３はこの大きさより小さい面積とされており、成人男性の性器を折り返して装着可能とされている。
【００１７】
固着帯体５は非透液性シート２と同じ素材で構成され、熱溶着にて取り付けられており、その表面には粘着剤６が塗布され離形紙（図示せず）が重合されている。また固着帯体５の長さは、パット本体４の長手方向の長さより長く形成されており、利用者の個人差に応じて巻き付け自在とされている。
【００１８】
図１（ｂ）は、本考案の男性用尿吸収パット１を畳んだ状態を示しており、この際、固着帯対５はそれぞれ斜めに折りたたまれる。この構成からなる男性用尿吸収パット１は、従来の尿吸収パットと比較して嵩張らず、多数の携帯を可能とするものである。
【００１９】
次に図２に従って、本校案の男性用尿吸収パット１の使用例を説明する。図２（ａ）は男性性器の側面図、図２（ｂ）は男子用尿吸収パットを装着した状態を示す側面説明図でありる。
【００２０】
まずパット本体４を、透液性シート３が亀頭６の裏側に接し固着帯体５が亀頭７の段部８近傍となる位置に当てる。次にパット本体４の多端側の非透液性シート２を持って、尿道口９を介して折り返し亀頭７を完全に覆う状態とする。そして、固着帯体５を不透液性シート２側から巻き付け、粘着剤６によって固定する。
【００２１】
この使用例から判るように、本考案の男性用尿吸収パット１は、男性性器の亀頭部分で保持され、その側面側は開放されるため、男性性器全体を覆うことがなく蒸れることがない。しかも、パット本体の大きさが小さいため通常の下着を使用したままの利用が可能であり、違和感がない。尚、本実施例においては粘着剤を利用した固定の方法例で説明したが、これに限らず他の固定方法であってもかまわない。
【００２２】
以上の構成からなる、本考案の男性用尿吸収パットは、略長方形の不透液性シートと、該シートの面積より小さな面積の透液性シートとが重合されたパット本体と、該パット本体の長手方向一端側に貼着された固着帯体とから構成されており、折畳んでも嵩張らずに、多数携帯することができる。しかも着帯体を亀頭部の段部で巻回可能な長さとしたため、亀頭部分を確実に保持し尿が漏れることがなく吸収させることができる。そして男性性器の側面には通気部が形成されるため、長時間装着しても蒸れることがなく快適である。
【符号の説明】
【００２３】
１            男性用尿吸収パット
２            不透液性シート
３            透液性シート
４            パット本体
５            固着帯体
６            粘着剤
７            亀頭 
８            段部 
９            尿道口
【図１】
0003154360.tif 000003
【図２】
0003154360.tif 000004